(57)【特許請求の範囲】
【請求項１】
底壁に連結する側壁を有し容器の外殻を形成する外層体と、該外層体の内側に収められる減容変形自在な内層体とを備え、内容物の自重による吐出、及び、前記外層体のスクイズによる内容物の吐出が可能な二重容器において、
前記底壁は、該底壁を貫通して前記外層体と前記内層体との間に外気を導入するための直線状のスリットを備えるとともに、該スリットの両端部外側に、該スリットの延長線に沿って延在する一対の補強リブを備え、
前記側壁は、該一対の補強リブのうち何れか一方のみの近接域から容器の軸線に沿って延在し、前記外層体と前記内層体とを接合する接着帯を備え、
前記接着帯は、一方の前記補強リブ側に１本のみ設けられている、二重容器。
【請求項２】
前記スリット及び前記補強リブは、ブロー成形の割り金型による食い切りによって形成されるピンチオフ部に形成される、請求項１に記載の二重容器。
【発明の詳細な説明】
【技術分野】
【０００１】
本発明は、容器の外殻を形成する外層体と、該外層体の内側に収められる減容変形自在な内層体とを備え、内容物の吐出に伴って内層体のみを減容させる二重容器に関するものである。
【背景技術】
【０００２】
化粧水などの化粧料や、シャンプーやリンスあるいは液体石鹸、また食品調味料などを収納する容器としては、容器の外殻を形成する外層体と、該外層体の内側に収められる減容変形自在な内層体とを備え、外層体に、内層体との相互間に通じる外気導入用の開口を設けて、内容物の吐出に伴って内層体のみを減容させるようにした二重容器（デラミ容器とも言う）が知られている。
【０００３】
また、内容物の吐出方式としては、外層体の口部に装着したポンプによるものや、主に外層体の胴部をスクイズすることによるもの、更に、主に内容物の自重によるもの（例えば特許文献１参照）等がある。ポンプを利用する容器では、構造が複雑になる上、コストの増大が避けられず、また、外層体のスクイズを利用する容器では、構造が比較的簡素化されるものの、内層体のみを減容させる為には、外層体への押圧時には外気導入用の開口を閉じ、押圧を解除すると開く外気導入弁を設ける必要がある。一方、内容物の自重を利用する容器では、構造も簡単である上、外気導入弁も不要であることから、コスト削減にも優れている。
【先行技術文献】
【特許文献】
【０００４】
【特許文献１】特開２００８−２０７８６０号公報
【発明の概要】
【発明が解決しようとする課題】
【０００５】
ところで、二重容器の内層体は、全体が均等に減容するよう種々の工夫がなされているが、それ自身の厚みのばらつき等に起因して、優先的に潰れ易くなる部分が生じることがある。これにより、内容物の吐出が進んでいくと内層体の内面同士が部分的に接触して、内容物の通路が狭くなってしまうおそれがある。このような場合でも、ポンプによるものや外気導入弁を備えるものでは、内容物を最後まで吐出することができるものの、外気導入弁を持たずに内容物を自重で吐出する二重容器では、外層体をスクイズしても、外層体と内層体との相互間の空気が外気導入孔から漏れてしまい内層体を十分に減容させることができないため、内容物の吐出が難しくなるという不具合があった。このため、この点を改良した新たな二重容器が望まれていた。
【０００６】
本発明は、このような従来の問題点を解決することを課題とするものであり、その目的は、内容物をその自重で吐出させることができ、しかも内容物の残量が少なくなった際には外層体のスクイズによるスムーズな吐出を実現することができるとともに、コストの増大を招くことがない新規の二重容器を提案するところにある。
【課題を解決するための手段】
【０００７】
本発明は、上記課題を解決するためになされたものであり、本発明の二重容器は、底壁に連結する側壁を有し容器の外殻を形成する外層体と、該外層体の内側に収められる減容変形自在な内層体とを備える二重容器において、
前記底壁は、該底壁を貫通する直線状のスリットを備えるとともに、該スリットの両端部外側に、該スリットの延長線に沿って延在する一対の補強リブを備え、
前記側壁は、該一対の補強リブのうち何れか一方のみの近接域から容器の軸線に沿って延在し、前記外層体と前記内層体とを接合する接着帯を備えることを特徴とする。
【０００８】
また、本発明の二重容器にあっては、前記スリット及び前記補強リブが、ブロー成形の割り金型による食い切りによって形成されるピンチオフ部に形成されることが好ましい。
【発明の効果】
【０００９】
本発明によれば、内容物をその自重で吐出させることができ、しかも内容物の残量が少なくなった際には外層体のスクイズによるスムーズな吐出を実現することができるとともに、コストの増大を招くことがない新規の二重容器を提供することが可能となる。
【図面の簡単な説明】
【００１０】
【図１】本発明の一実施形態に係る二重容器の正面図である。
【図２】図１の二重容器の側面図である。
【図３】図１の二重容器の底面図である。
【図４】図１の二重容器に装着される注出キャップの、側面視での断面図である。
【発明を実施するための形態】
【００１１】
以下、図面を参照して、本発明をより具体的に例示説明する。図１は、本発明の一実施形態に係る二重容器を示す正面図であり、図２は側面図、図３は底面図である。
【００１２】
二重容器１は、容器の外殻を形成する外層体１０と、外層体１０の内側に収められる減容変形自在な内層体２０とを備え、外層体１０と内層体２０の間には、これら外層体１０及び内層体２０を互いに接合する接着帯３０が設けられている。
【００１３】
ここで、本実施形態における二重容器１は、合成樹脂製の外層体１０と、外層体１０に対して相溶性が低い合成樹脂にて形成される内層体２０と、外層体１０及び内層体２０に対して接着性を有する合成樹脂にて形成される帯状の接着層、すなわち、接着帯３０とを積層させたものであり、これらの合成樹脂を積層して形成したパリソンを、ブロー成形することによって得られたものである。ここで、本実施形態の二重容器１においては、外層体１０を外側の低密度ポリエチレン（ＬＤＰＥ）と内側のポリプロピレン樹脂（ＰＰ）の２層構造とし、内層体２０を外側のエチレンビニルアルコール共重合樹脂（ＥＶＯＨ）と内側の変性ポリオレフィン樹脂（三井化学株式会社製「アドマー」（登録商標））の２層構造としている。また、接着帯３０を変性ポリオレフィン樹脂（「アドマー」（登録商標））で構成している。なお、本実施形態では、スクイズ性を付与するため、外層体１０の外側の層を低密度ポリエチレン（ＬＤＰＥ）で構成しているが、ポリプロピレン樹脂（ＰＰ）、中密度ポリエチレン樹脂（ＭＤＰＥ）、又は高密度ポリエチレン樹脂（ＨＤＰＥ）とすることも可能である。また、本実施形態の外層体１０を構成するポリプロピレン樹脂（ＰＰ）の層は、内層体２０の剥離性を向上するために設けたものであり、必ずしも必要なものではない。さらに、上記の層構成は一例であり、外層体１０に対して内層体２０が剥離可能であれば、外層体１０、内層体２０、及び接着帯３０の材料は特に限定されるものではなく、それぞれ単層構造としても良いし、多層構造としても良い。
【００１４】
外層体１０は、復元自在な可撓性を有するものであり、外層体１０の底部を形成する底壁１１と、底壁１１の外縁に連結して外層体１０の胴部を形成する側壁１２と、側壁１２の上部に連結するともに円筒状をなし外層体１０の口部を形成する口部壁１３とを備えている。内層体２０は、その内側に内容物を充填可能とする充填空間Ｍを有するものであり、積層された外層体１０から剥離させることで減容変形させることができる。
【００１５】
なお、本実施形態において側壁１２は、筒状の側壁１２の横断面が正１２角形となる構成としているが、これに限定されず、例えば、横断面が他の多角形、円形、楕円形等となる形状とすることができる。また、口部壁１３には、蓋体等を装着するためのねじ部や係合用の突起等を設けることができる。
【００１６】
底壁１１は、接地面となる円環状の外縁部１１ａと、外縁部１１ａの内側で口部壁１３側に凹となる凹部１１ｂとを有する。図３に示すように、底壁１１の凹部１１ｂにおける中央域には、外層体１０の内外を貫通し直線状に延在する、外気導入孔としてのスリット１４が形成されている。また、スリット１４の両端部１４ａ、１４ｂの外側には、スリット１４の延長線Ｌに沿って延在する一対の補強リブ１５ａ、１５ｂが設けられている。
【００１７】
また、側壁１２には、接着帯３０が１本のみ設けられており、当該接着帯３０は、一方の補強リブ１５ｂの近接域から容器の中心軸線Ｃに沿って延在し、口部壁１３まで延びている。ここで、「補強リブ１５ｂの近接域」とは、補強リブ１５ｂの近傍領域を意味するものであり、接着帯３０の終端部は、補強リブ１５ｂに重なっていても良いし、補強リブ１５ｂの手前で終端していても良い。本実施形態において、接着帯３０は、スリット１４の延長線Ｌに沿って、また、割り金型によって形成される側壁１２のパーティングラインに沿って延在し、接着帯３０の底壁１２側の終端部は、補強リブ１５ｂの外端部に重なっている。接着帯３０の長さ、幅、本数は特に限定されるものではなく適宜変更が可能である。さらに、接着帯３０は、直線状に延在することに限らず、屈曲部や湾曲部を有していても良い。なお、本発明において、接着帯３０を設ける位置は、一対の補強リブ１５ａ、１５ｂのうち、一方の補強リブ１５ｂのみの近接域に限定しており、他方の補強リブ１５ａの近接域には設けない構成としている。
【００１８】
本実施形態において、スリット１４及び一対の補強リブ１５ａ、１５ｂは、ブロー成形の割り金型による食い切りによって形成されるピンチオフ部に形成されている。すなわち、一対の補強リブ１５ａ、１５ｂは、割り金型にて外層体１０と内層体２０とを挟み込んで扁平に押し潰すことにより形成される。また、スリット１４は、割り金型にてパリソンの底部中央域を食い切り、ブロー成形後に内層体２０を外層体１０から剥離させることにより形成される。ここで、内層体２０を外層体１０から剥離させる方法としては、ブロー成形後に、一対の補強リブ１５ａ、１５ｂを口部壁１３側に向けて押圧することで、容易にスリット１４を形成することができる。この時、補強リブ１５ａ、１５ｂはスリット14部分に比べて剛性が高いため、外層体１０の亀裂がスリット１４の両端部１４ａ、１４ｂでとどまり、所期した長さのスリット１４を形成することができる。
【００１９】
なお、押圧時の応力によっては、一対の補強リブ１５ａ、１５ｂにもスリット１４に沿った亀裂が生じることもあり得るが、この場合においても、一対の補強リブ１５ａ、１５ｂは、スリット１４に比べて開き難くなっているため、スクイズした際に補強リブ１５ａ、１５ｂに生じた亀裂から空気が漏れる虞はほとんどない。また、一方の補強リブ１５ｂの近接域には接着帯３０が配置されていることにより、当該補強リブ１５ｂは接着性が強くなっているため亀裂が生じ難く、また、割れた場合においてもスクイズ時に開き難くなっている。
【００２０】
ここで、図４は、本実施形態の二重容器１に装着される注出キャップの一例を示したものである。注出キャップ４０は、口部壁１３に係合保持され、注出栓４１と、注出栓４１にヒンジ４２を介して連結され、当該注出栓４１の開閉を行う蓋体４３とを備える。なお、ヒンジ４２を設けずに、蓋体４３を別体として形成し、注出栓４１にねじ係合やアンダーカット係合させる構成としてもよい。
【００２１】
注出栓４１は、口部壁１３の外周面に対してアンダーカット係合する装着筒４４と、装着筒４４の上部を覆う隔壁４５と、隔壁４５から上方に立設し、内側が充填空間Ｍに繋がる注出筒４６とを備える。注出筒４６の下方には、円筒壁４７が連なっており、円筒壁４７の内周面には、周方向に間隔をあけて設けられる複数の縦リブ４８を設けている。縦リブ４８の径方向内側には、球状体４９が配置され、縦リブ４８の上端に設けた膨出部によって抜け止め保持されている。円筒壁４７の下部には、下方に向けて縮径する傾斜壁４７ａを設けている。ここで、球状体４９は、縦リブ４８に沿って自重にて移動するものであり、図１、４に示すように二重容器１が起立姿勢にあるときは傾斜壁４７ａと全周にわたって当接して、内層体２０の充填空間Ｍを封止している。
【００２２】
蓋体４３は、注出栓４１の上方を覆う頂壁５０の外縁部に周壁５１を連結したものであり、周壁５１はヒンジ４２によって装着筒４４に連結されている。また、頂壁５０の下面には、注出筒４６と液密に当接するシール筒５２を設けている。また、シール筒５２の径方向内側には、下方に向けて延びるピン５３を設けている。ピン５３は、球状体４９が上方へ変位する際、上限に至る手前で球状体４９に当接するように設けられている。これにより、輸送等によって球状体４９が勢いよく上方に移動しても、縦リブ４８の上端に設けた膨出部を越えて外れてしまうことがない。
【００２３】
注出キャップ４０を装着した二重容器１から内容物を吐出するに当たっては、蓋体４３を開いて二重容器１を傾倒或いは倒立姿勢にすることで、球状体４９は注出筒４６側に変位し、充填空間Ｍ内の内容物は自重により傾斜壁４７ａの開口から縦リブ４８の相互間を通り抜けて注出筒４６より吐出される。この際、外層体１０と内層体２０との相互間にはスリット１４を通して外気が導入されるので、外層体１０はその形状を保ったまま、内層体２０のみが減容することとなる。
【００２４】
内容物の吐出が進んで残量が減ってくると、内容物全体の重量が少なくなることから、二重容器１を傾けるだけでは内容物が吐出され難くなる。そこで、側壁１２を両側から挟むようにして外層体１０を押圧（スクイズ）する。この時、スリット１４は僅かに開くものの、一対の補強リブ１５ａ、１５ｂによって、その開き量が制限されるため、外層体１０と内層体２０との相互間の空気がスリット１４から漏れ出す量は少なくなり、内層体２０は十分に押圧されることになるので、自重では吐出され難くなった内容物も最後まで吐出させることができる。なお、押圧を解除すれば、外層体１０と内層体２０との相互間には外気が十分に導入される。なお、本実施形態の二重容器１にあっては、用途に応じて、初めから外層体１０をスクイズして内容物を吐出することも可能である。
【００２５】
上述のように、スリット１４は、外層体１０と内層体２０との相互間に外気を導入するものであるが、スリット１４の長さが短すぎると、スリット１４の開口長さが不足して外気を十分に導入することができず、一方、スリット１４の長さが長すぎると、後述するようにスリット１４が開き易く、外層体をスクイズしても空気が漏れて内層体を十分に減容させることができずに内容物の吐出が難しくなってしまう。このため、二律背反するこれらの機能をどちらも満足させるべく、スリット１４の長さは、外層体１０の剛性等に応じて、適切な長さに設定し、所期した通りの長さとなるよう形成することが重要である。
【００２６】
本実施形態の二重容器１にあっては、スリット１４の両側に一対の補強リブ１５ａ、１５ｂを設けたことにより、スリット１４の両端部１４ａ、１４ｂにおける強度を高め、成形時、また、繰返し使用時にも、スリット１４の両端部１４ａ、１４ｂから亀裂が進展することを防止することができる。これにより、外気導入孔としてのスリット１４の長さを、所期した長さに形成することができる。その結果として、内容物をその自重で吐出させることができ、しかも内容物の残量が少なくなった際には外層体１０のスクイズによるスムーズな吐出を実現することができる。また、外気導入弁も不要であるため、コストの増大を招くこともない。
【００２７】
本実施形態の二重容器１にあっては、接着帯３０を一方の補強リブ１５ｂの近接域に設けたことにより、接着帯３０を設けた側の補強リブ１５ｂは接着性が強くなっているため、亀裂の発生、進展を防止することができ、スリット１４を所望の長さに設定する効果を高めることができる。
【００２８】
また、接着帯３０は、本実施形態のように、一方の補強リブ１５ｂ側のみに１本設けることが好ましく、これによれば、接着帯３０を設けた補強リブ１５ｂ側では内層体２０が外層体１０に保持されるとともに、接着帯３０を設けていない補強リブ１５ａ側では、内層体２０が外層体１０から剥離可能となる。そのため、接着帯３０を設けた補強リブ１５ｂ側で内層体２０を保持することにより内層体２０の底部が口部壁１３側に移動することを防止するとともに、接着帯３０を設けていない補強リブ１５ａ側において、スリット１４を通して導入される外気の流路を確保することができる。これにより、充填空間Ｍの一部が閉塞して内容物が吐出できなくなる、いわゆるチョークオフ現象を防止することができる。また、内層体２０が片持ち状態となるため、内容物が口部壁１３側に移動し易くなり、内容物の残量を低減させることができる。
【００２９】
以上、図示例に基づき説明したが、本発明は上述の実施形態に限定されるものでなく、特許請求の範囲の記載範囲内で適宜変更することができるものであり、例えば、補強リブ１５ａ、１５ｂの何れか一方、又は両方に、一方の側面を他方の側面に向けて食い込ませることでピンチオフ部の底割れ強度を高める複数の食い込み部を設けてもよい。またスリット１４は、外層体１０に対し後加工にて設けるようにしてもよい。更にリブ１４は、外層体１０と内層体２０とを扁平に押し潰したピンチオフ部によらずに外層体１０のみで形成してもよい。
【符号の説明】
【００３０】
１  二重容器
１０  外層体
１１  底壁
１２  側壁
１３  口部壁
１４  スリット
１４ａ、１４ｂ  スリットの端部
１５ａ、１５ｂ  補強リブ
２０  内層体
３０  接着帯
４０  注出キャップ
４１  注出栓
４２  ヒンジ
４３  蓋体
４４  装着筒
４５  隔壁
４６  注出筒
４７  円筒壁
４７ａ  傾斜壁
４８  縦リブ
４９  球状体
５０  頂壁
５１  周壁
５２  シール筒
５３  ピン
Ｃ  容器の中心軸線
Ｌ  スリットに沿う延長線
Ｍ  充填空間
【図１】
0006396191.tif 000002
【図２】
0006396191.tif 000003
【図３】
0006396191.tif 000004
【図４】
0006396191.tif 000005